(57)【要約】【課題】壁等の下地処理のためのコーナーテープにおいて、製造しやすいうえに、コーナー部のきれいな仕上げが容易にできるようにする。【解決手段】帯状をなす織物シート１２の幅方向の中間部に長手方向に沿って延びる帯状の補強シート１３を備え、補強シート１３をコーナー部の形に合わせて折り曲げるとともに、コーナー部に接触させて固定される長尺のコーナーテープにおいて、織物シート１２に、パテを通す目の粗い大目合い部２１と、大目合い部２１よりも目の細かい小目合い部２２を形成する。大目合い部２１と小目合い部２２のうち、小目合い部２２を織物シート１２の幅方向の中間部に長手方向に沿って形成して、補強シート１３を折り曲げた時にできる角にできる凹凸を小さくする。【選択図】図２
2019031806.tif 000002
【特許請求の範囲】
【請求項１】
帯状をなす織物シートの幅方向の中間部に長手方向に沿って延びる帯状の補強シートを備え、前記補強シートをコーナー部の形に合わせて折り曲げるとともに、前記コーナー部に接触させて固定される長尺のコーナーテープであって、
前記織物シートが、パテを通す目の粗い大目合い部と、前記大目合い部よりも目の細かい小目合い部を有し、
前記小目合い部が、前記織物シートの幅方向の中間部に長手方向に沿って形成された
コーナーテープ。
【請求項２】
前記大目合い部と前記小目合い部が一体である
請求項１に記載のコーナーテープ。
【請求項３】
前記小目合い部が、前記大目合い部よりも経糸間隔を狭くして形成された
請求項１または請求項２に記載のコーナーテープ。
【請求項４】
前記織物シートが、引き揃えられた複数本の糸からなる一組の緯糸と、引き揃えられた複数本の糸からなる一組の経糸で織成されたものであり、
前記経糸のうちの一部の糸と、これ以外の糸が互い違いに前記緯糸に対して織り込まれた
請求項１から請求項３のうちいずれか一項に記載のコーナーテープ。
【請求項５】
前記織物シートがカレンダー加工されたものである
請求項１から請求項４のうちいずれか一項に記載のコーナーテープ。
【請求項６】
前記補強シートの幅方向の中間部に、長手方向に沿って延びるハーフカットからなる折り曲げ線が形成され、
前記折り曲げ線を有する側の面が前記織物シートに固定された
請求項１から請求項５のうちいずれか一項に記載のコーナーテープ。
【発明の詳細な説明】
【技術分野】
【０００１】
この発明は、建物の内装下地に用いられる部材に関し、より詳しくは、たとえば壁のコーナー部の仕上げに用いられるコーナーテープに関する。
【背景技術】
【０００２】
コーナーテープとしては、例えば下記特許文献１に開示されたものがある。このコーナーテープは、網目状テープの片面に、このテープよりも幅狭で長手方向に沿って屈曲部を設けた長尺状有孔硬質板を接着積層したものである。網目状テープの網目と硬質板の孔の大きさは、パテが進入できる大きさに設定されている。
【０００３】
このような構成のコーナーテープでは、硬質板とパテの接着力が高まるという効果がある。
【０００４】
しかし、硬質板を折り曲げて角を出したときに、目合いの大きい網目状テープを構成する緯糸の膨らみが、間隔をあけてその角に出る。このため、コーナー部に固定したコーナーテープに対してパテ塗りを行うとき、ヘラにがたがたと抵抗が生じるため、パテ処理は容易でなく、きれいに仕上げるには熟練性がいる。
【０００５】
この点、下記特許文献２のコーナーテープは、網目状テープに固定する硬質板を２本で構成し、網目状テープの折り曲げを行う幅方向の中間部を挟む両側にそれら硬質板を固定しているので、一枚の硬質板で構成した場合と比べて角の尖りが軽減されて、緯糸からなる凹凸は角に出にくくなる。
【０００６】
しかし、網目状テープの目合いはパテを通過させる大きさであって、間隔をあけて平行に並ぶ緯糸の膨らみからなる凹凸が存在することにかわりはない。このため、パテ処理の難しさは依然として残る。
【０００７】
このような特許文献２のコーナーテープとは逆に、硬質板ではなくて網目状テープのほうを左右に二分し、硬質板の折り曲げ位置を避けて網目状テープを固定することが考えられる。
【０００８】
しかし、硬質板に対して、相互間に一定の隙間を開けて２枚の網目状テープを正確に貼り付けることは、製造上困難である。
【先行技術文献】
【特許文献】
【０００９】
【特許文献１】実公平７−７２９７号公報
【特許文献２】特公平７−７４５３７号公報
【発明の概要】
【発明が解決しようとする課題】
【００１０】
この発明は、製造しやすいうえに、コーナー部のきれいな仕上げが容易にできるようにすることを主な目的とする。
【課題を解決するための手段】
【００１１】
そのための手段は、帯状をなす織物シートの幅方向の中間部に長手方向に沿って延びる帯状の補強シートを備え、前記補強シートをコーナー部の形に合わせて折り曲げるとともに、前記コーナー部に接触させて固定される長尺のコーナーテープであって、前記織物シートが、パテを通す目の粗い大目合い部と、前記大目合い部よりも目の細かい小目合い部を有し、前記小目合い部が、前記織物シートの幅方向の中間部に長手方向に沿って形成されたコーナーテープである。
【００１２】
この構成では、それぞれ１つずつの織物シートと補強シートでコーナーテープを構成できる。また、補強シートを折り曲げた時にできる角には織物シートの小目合い部が存在することになり、大目合い部が塗布されたパテを通過させてコーナーテープとパテの接着力を発揮させる一方、大目合い部よりも目合いの小さいこの小目合い部が角に凹凸ができることを抑える。
【発明の効果】
【００１３】
この発明によれば、組み合わせる織物シートと補強シートはそれぞれ１つずつでよいので、製造に際して間隔を調整して固定するような作業は不要であり、製造が容易に行える。
【００１４】
また、小目合い部が角に凹凸ができるのを抑制するので、ガタツキや抵抗の発生を抑えることができ、パテ処理が容易であって、コーナー部をきれいな仕上げることが可能である。
【図面の簡単な説明】
【００１５】
【図１】コーナーテープの斜視図。
【図２】コーナーテープの分解斜視図。
【図３】コーナーテープの使用状態の断面図。
【図４】コーナーテープの表面図。
【図５】コーナーテープの大目合い部と小目合い部を示す拡大図。
【図６】コーナーテープの裏面図。
【図７】コーナーテープの模式的に示した断面図。
【図８】コーナーテープの模式的に示した断面図。
【図９】コーナーテープを折り曲げる状態を示した斜視図。
【発明を実施するための形態】
【００１６】
この発明を実施するための一形態を、以下図面を用いて説明する。
【００１７】
図１に、使用前のコーナーテープ１１を示す。すなわち、コーナーテープ１１は、長尺であってロール状に巻回されており、必要長さを引き出したのち鋏などで切断して使用されるものである。
【００１８】
コーナーテープ１１は、図２に示したように、帯状をなす織物シート１２の幅方向の中間部に長手方向に沿って延びる帯状の補強シート１３を備えている。使用に際して切断後は、図３に示したように、補強シート１３を固定対象である下地５１のコーナー部５２の形に合わせて折り曲げるとともに、コーナー部５２に接触させて固定される。
【００１９】
織物シート１２は、コーナー部５２に貼り付けるのに必要な幅に形成されており、コーナーテープ１１の表面図である図４に示したように、パテを通す目の粗い大目合い部２１と、この大目合い部２１よりも目の細かい小目合い部２２を有している。大目合い部２１と小目合い部２２の目合いの大きさは、適宜設定される。小目合い部２２については、表面のがたつき、つまり長手方向における凹凸が小さく平滑性を有する状態であるとよい。パテの通過性でいえば、小目合い部２２の目合いは、パテをほとんど通さないものとしてもよい。
【００２０】
これら大目合い部２１と小目合い部２２は、共に織物シート１２の長手方向に延びる帯状であり、小目合い部２２は、織物シート１２の幅方向の中間部に長手方向に沿って形成されている。このため、小目合い部２２を挟む両側に大目合い部２１が存在することになる。
【００２１】
このような大目合い部２１と小目合い部２２は、一体である。つまり、一枚の織物として緯糸２３と経糸２４を織り込んで形成される。このほか、大目合い部２１を構成するシート部材と小目合い部２２を構成するシート部材を粘着や溶着などで結合することもできる。このようにシート部材同士を結合して織物シート１２を形成する場合には、補強シート１３の両側縁のすぐ外側にシート部材同士の結合部分を位置させると、補強シート１３によってできる段差を軽減できる。
【００２２】
織物シート１２を構成する糸には、ポリエステルやビニロンなど、適宜の材料を使用できる。
【００２３】
織物シート１２の大目合い部２１と小目合い部２２について具体的説明すると、つぎのとおりである。図５の（ａ）に大目合い部２１の拡大図を、（ｂ）に小目合い部２２の拡大図を示している。
【００２４】
大目合い部２１と小目合い部２２は前述のように一体に、一枚のシートに構成されるため、それぞれの目合いの違いは、経糸２４間隔を調節してつける。すなわち、小目合い部２２は、大目合い部２１よりも経糸２４間隔を狭くして形成する。
【００２５】
また、目ずれを良好に防止するとともに平滑性を出すため、織物シート１２は、引き揃えられた複数本の糸２３ａからなる一組の緯糸２３と、引き揃えられた複数本の糸２４ａ，２４ｂからなる一組の経糸２４で織成されたものであり、経糸２４のうちの一部の糸２４ａと、これ以外の糸２４ａが互い違いに緯糸２３に対して織り込まれている。
【００２６】
具体的には、図５の（ａ）からわかるように、緯糸２３として２本の糸２３ａを引き揃えて一組としたものを使用し、経糸２４として３本の糸２４ａ，２４ｂを引き揃えて一組としたものを使用する。緯糸２３は、一定間隔で配設され、これら緯糸２３に経糸２４が織り込まれるが、このときに、一組の経糸２４のうちの真ん中の１本の糸２４ａと、これを挟む両側２本の糸２４ｂを、互い違いに織り込む。
【００２７】
このように構成することで、織物シート１２のすべての緯糸２３が経糸２４で表裏両面から挟まれた状態になり、緯糸２３の膨らみによる凹凸が現れることを効果的に軽減できる。
【００２８】
大目合い部２１では、経糸２４同士の間が緯糸２３同士の間隔と同程度にあいているが、小目合い部２２では、図５の（ｂ）に示したように、経糸２４同士の間隔を大目合い部２１のそれよりも狭くする。これらの図示した間隔は一例であり、その他の間隔としてもよい。
【００２９】
また、このように織成した織物シート１２は、補強シート１３を固定する前に、カレンダー加工される。カレンダー加工によって、平滑性が得られ、厚みの平均化が図れるため、より一層、緯糸２３の存在による凹凸を軽減できることになる。
【００３０】
補強シート１３は、コーナーテープ１１の裏面図である図６に示したように、織物シート１２よりも幅狭であり、例えばＰＥＴ（ポリエチレンテレフタレート）樹脂などの適宜の材料で形成されている。補強シート１３の厚さは、折り曲げたときに補強の機能を果たせる限りで薄く設定される。
【００３１】
補強シート１３は、幅方向の中間部を織物シート１２の幅方向の中間部に合わせて貼り付けられるが、補強シート１３の幅Ｗ１は、図７に示したように小目合い部２２の幅Ｗ２よりも狭くてもよく、図８に示したように広くてもよい。また、図示は省略するが、補強シート１３の幅Ｗ１は、小目合い部２２の幅Ｗ２と同一であってもよい。
【００３２】
この補強シート１３の幅方向の中間部、より具体的には左右均等に分断する位置には、長手方向に沿ってまっすぐ延びるハーフカットからなる折り曲げ線３１が形成されている。織物シート１２に対する固定に当たっては、折り曲げ線３１を有する側の面を織物シート１２に向ける。
【００３３】
補強シート１３は織物シート１２に対して粘着される。具体的には、図７、図８に示したように、織物シート１２の裏面全体に粘着剤層２５が形成されており、この粘着剤層２５を利用して補強シート１３を固定する。補強シート１３を固定しない部分の粘着剤層２５は、ロール状に巻回したときに、下層に位置する織物シート１２の表面に粘着して、巻回状態を維持するとともに、使用時には、コーナー部５２に対する固定に資する。
【００３４】
以上のような構成のコーナーテープ１１は、大目合い部２１と小目合い部２２を交互に有する基材シート（図示せず）を織成したのち、これをカレンダー加工して、小目合い部２２が幅方向の中間部に位置する所定幅に裁断して、織物シート１２を得る。そして、織物シート１２の裏面に粘着剤を塗布して粘着剤層２５を形成するとともに、補強シート１３を貼り付けて、続いてロール状に巻き取ることによって製造される。
【００３５】
コーナーテープ１１を構成する２種類の部材（織物シート１２と補強シート１３）を貼り合わせることで、コーナーテープ１１は製造されるが、それらの部材はそれぞれ１個ずつであるうえに、一方（織物シート１２）の幅方向の中間部に他方（補強シート１３）を貼り付ければよいので、例えば定間隔をあけて２つの部材を貼り付けるのに比較して、製造は容易に行える。
【００３６】
しかも、織物シート１２に形成された粘着剤層２５のうち、補強シート１３の固定に利用されなかった幅方向の両側の部分は、巻回状態を保持するととともに、コーナー部５２に対する固定時の固定手段になるので、構成を少なくして効率がよい。
【００３７】
使用に際しては、コーナーテープ１１を所望長さ切りだして、図９に示したように、補強シート１３の折り曲げ線３１位置で折り曲げて、アングル状にする。このとき、織物シート１２における折り曲げ線３１に対応する部分が小目合い部２２であるので、緯糸２３の膨らみを軽減できる。しかも、小目合い部２２は、緯糸２３の間隔はあける一方で経糸２４間隔を狭めて形成されているうえに、複数本の経糸２４を分けて緯糸２３の表裏両側から織り込むので、緯糸２３の存在による凹凸を極力小さくできる。このため、折り曲げ時に手が痛くなるのを回避できる。
【００３８】
また、折り曲げ線３１はハーフカットからなり、織物シート１２側に位置するので、折り曲げると折り曲げ線３１開くとともに、織物シート１２の折り曲げ線３１に対応する部分は幅方向に引っ張られる。このため、折り曲げた状態を維持しやすく、コーナー部５２に対する固定状態は良好に維持できる。
【００３９】
コーナーテープ１１を折り曲げた後、パテの下塗りを行ったコーナー部５２に対して、図３に示したようにコーナーテープ１１を貼り付ける。この後、コーナーテープ１１の上からパテの中塗りを行う。パテは、織物シート１２の表面から、織物シート１２の網目を通って下地５１に密着する。いわば、下地５１の表面と織物シート１２をパテで挟み込む。このため、良好な下地処理ができる。
【００４０】
このときのパテ処理は、前述のように緯糸２３の存在による凹凸が軽減されるので、ヘラでこするときの抵抗がなく、作業がしやすい。この結果、コーナー部５２のきれいな仕上げが容易にできる。
【００４１】
補強シート１３の両側縁の近傍部分では、織物シート１２が補強シート１３の厚さによってできている段差を解消するとともに、入り込んだパテの密着によって、美麗な外観が得られる。このため、より一層の切れない仕上げに貢献する。
【００４２】
以上の構成はこの発明を実施するための一形態であって、この発明は前述の構成のみに限定されるものではなく、その他の構成を採用することもできる。
【００４３】
例えば、コーナーテープ１１は、定尺に裁断して、離型シートを貼り付けたものであってもよい。
【００４４】
織物シート１２は、大目合い部２１と小目合い部２２の２種類のほか、その中間の目合い部や、小目合い部２２よりも小さい目合いの部分を備えてもよい。連続的に変化する目合いであってもよい。
【００４５】
織物シート１２に対する補強シート１３の固定は粘着剤層２５で行うほか、例えば溶着等での適宜手段で行ってもよい。
【符号の説明】
【００４６】
１１…コーナーテープ
１２…織物シート
１３…補強シート
２１…大目合い部
２２…小目合い部
２３…緯糸
２３ａ…糸
２４…経糸
２４ａ，２４ｂ…糸
３１…折り曲げ線
５２…コーナー部
【図１】
2019031806.tif 000003
【図２】
2019031806.tif 000004
【図３】
2019031806.tif 000005
【図４】
2019031806.tif 000006
【図５】
2019031806.tif 000007
【図６】
2019031806.tif 000008
【図７】
2019031806.tif 000009
【図８】
2019031806.tif 000010
【図９】
2019031806.tif 000011